(57)【要約】【課題】  燃料電池の出力電流を高精度に検出して燃料の残量を高精度に算出することができる燃料残量検出装置を提供する。【解決手段】  燃料電池装置における電圧変換装置４のスイッチング素子のオン時間を計測するオン時間計測装置７と、予め求めておいた燃料が有する電気量を初期値として記憶している記憶装置９と、燃料電池２の出力電圧、電圧変換装置４の出力電圧及びオン時間計測装置７が計測するスイッチング素子のオン時間に基づき燃料電池２の出力電流を求め、この出力電流に基づき記憶装置９が記憶している電気量と消費した電気量に基づき燃料の残量を検出する。【選択図】  図２
2008204669.tif 000002
【特許請求の範囲】
【請求項１】
燃料電池と、スイッチング素子のオン・オフ制御により前記燃料電池を電源として負荷に印加する出力電圧を一定に制御する電圧変換装置とを有する燃料電池装置における燃料残量検出方法であって、
前記燃料電池の出力電圧、前記電圧変換装置の出力電圧及び前記スイッチング素子のオン時間に基づき前記燃料電池の出力電流を求め、さらに前記出力電流と前記スイッチング素子のオン時間とに基づき前記出力電流の供給により消費した電気量を求め、次に前記燃料が有する電気量と消費した前記電気量に基づき燃料の残量を検出することを特徴とする燃料電池装置における燃料残量検出方法。
【請求項２】
燃料電池と、スイッチング素子のオン・オフ制御により前記燃料電池を電源として負荷に印加する出力電圧を一定に制御する電圧変換装置とを有する燃料電池装置における燃料残量検出装置であって、
前記スイッチング素子のオン時間を計測するオン時間計測手段と、
前記燃料が有する電気量を記憶している記憶手段と、
前記燃料電池の出力電圧、前記電圧変換装置の出力電圧及び前記オン時間計測手段が計測するスイッチング素子のオン時間に基づき前記燃料電池の出力電流を求め、さらに前記出力電流と前記スイッチング素子のオン時間とに基づき前記出力電流の供給により消費した電気量を求め、次に前記記憶手段が記憶している電気量と消費した前記電気量に基づき燃料の残量を検出する演算手段とを有することを特徴とする燃料残量検出装置。
【請求項３】
請求項２に記載の燃料残量検出装置において、
前記記憶手段は、予め求めておいた前記燃料が有する電気量を初期値として記憶しており、
前記演算装置は、検出した前記燃料の残量に基づき前記記憶手段の記憶内容を逐次書き換えるように構成したことを特徴とする燃料残量検出装置。
【請求項４】
請求項２又は請求項３に記載の燃料残量検出装置において、
前記オン時間計測手段は、一定周期のカウントパルスを送出する発振器と、
前記スイッチング素子をオン・オフするスイッチングパルスが表す前記スイッチング素子のオン期間を前記カウントパルスによりカウントして前記オン時間を計測するカウント手段とを有することを特徴とする燃料電池装置における燃料残量検出装置。
【請求項５】
請求項２乃至請求項４の何れか一つに記載の燃料残量検出装置において、
前記オン時間計測手段は、前記スイッチング素子をオン・オフするスイッチングパルスと同期して所定の処理を行うようにしたものであることを特徴とする燃料電池装置における燃料残量検出装置。
【請求項６】
請求項２乃至請求項５の何れか一つに記載の燃料残量検出装置において、
前記記憶手段は前記燃料電池に燃料を供給する燃料供給装置に内蔵させたことを特徴とする燃料電池装置における燃料残量検出装置。
【請求項７】
請求項２乃至請求項６の何れか一つに記載の燃料残量検出装置において、
前記燃料電池の出力電流は、前記スイッチングパルスのオン期間の立上がり時点における前記燃料電池の出力電圧、前記電圧変換装置の出力電圧及び前記スイッチング素子のオン時間に基づき求めた前記出力電流と、立下がり時点における前記燃料電池の出力電圧、前記電圧変換装置の出力電圧及び前記スイッチング素子のオン時間に基づき求めた前記出力電流とに基づき、両者の平均を採ることにより前記オン期間で平均した平均電流であることを特徴とする燃料電池装置における燃料残量検出装置。
【請求項８】
前記燃料電池と、前記電圧変換装置とを有する燃料電池装置において、
上記請求項２乃至請求項７の何れか一つに記載する燃料残量検出装置を有することを特徴とする燃料電池装置。
【発明の詳細な説明】
【技術分野】
【０００１】
本発明は燃料電池装置における燃料残量検出方法及び装置並びに燃料電池装置に関し、特に当該燃料電池装置の燃料残量（燃料消費量）を検出する場合に用いて有用なものである。
【背景技術】
【０００２】
燃料電池における燃料消費量は、燃料電池が出力した出力電流の積算値（電気量）に基づき求めることができる。したがって、燃料消費量の算出には、燃料電池の出力電流、又はこの出力電流値を表す量乃至信号を検出する必要がある。そこで、従来技術においては次のような方法により燃料電池の出力電流を検出している。
【０００３】
１．燃料電池の出力電流を直接検出する場合
１−１)  燃料電池の出力側に抵抗器を直列に挿入し、抵抗器の抵抗値と抵抗器の両端の電圧からオームの法則によって求める。
１−２)  ホール効果を応用した電流センサ等によって、出力電流を検出する。
【０００４】
２．燃料電池の出力電流を間接検出する場合
２−１)  燃料電池の出力電圧を検出し、予め測定しておいた燃料電池の出力特性プロファイル（出力特性テーブル）と照らし合わせて出力電流を見積もる。すなわち、図９に示すような燃料電池電圧の出力電流依存性に関する出力プロファイルを予め測定しておき、出力電圧を実測することにより前記プロファイルに基づく出力電流を検出する。
【０００５】
なお、抵抗器を用いた電流検出を開示する公知文献として特許文献１が、また燃料電池の放電電流を検出する公知文献として特許文献２が存在する。
【０００６】
【特許文献１】特開２００４−１７１９４５号公報
【特許文献２】特開２００３−３４６８５６号公報
【発明の開示】
【発明が解決しようとする課題】
【０００７】
しかしながら、上記１−１）では、抵抗器での電力損失が生ずるとともに、１−２）では電流センサ自身が測定のために所定の電力を消費するという問題がある。すなわち、燃料電池の出力電流を直接検出する場合には、電力の損失や消費を伴うので、燃料電池システムとしてのエネルギー密度が低下するという問題を生起する。
【０００８】
一方、上記２−１）では、上記１−１）及び１−２）の電流検出方法に較べれば少ない消費電力で燃料電池の出力電流を検出できるが、燃料電池の出力電流が、必ずしも図９に示す出力特性プロファイル通りにならないという問題を有する。すなわち、図９に示す出力プロファイルの初期特性は、イ）環境温度が適度に高い、ロ）環境湿度が適度に高い、ハ）出力エージング直後である等の要因により図９のＡ方向（出力電圧が上昇する方向）に特性がずれ、逆にニ）環境温度が適度に低い、ホ）環境湿度が適度に低い、ヘ）触媒の被毒膜の劣化等の要因により図９のＢ方向（出力電圧が下降する方向）に特性がずれる。
【０００９】
このため、出力プロファイルの参照による消費燃料の算出は、精度が低くなるという問題を有する。さらに、燃料電池の発電環境等が出力プロファイルの範囲外にある場合は、燃料電池の出力電流を見積もることが出来ない。
【００１０】
本発明は、上記従来技術に鑑み、燃料電池装置のエネルギー密度を低減させることなく燃料電池の出力電流を高精度に検出して燃料の消費を高精度に算出することができる燃料電池装置における燃料残量検出方法及び装置並びに燃料電池装置を提供することを目的とする。
【課題を解決するための手段】
【００１１】
上記目的を達成するための本発明の第１の態様は、
燃料電池と、スイッチング素子のオン・オフ制御により前記燃料電池を電源として負荷に印加する出力電圧を一定に制御する電圧変換装置とを有する燃料電池装置における燃料残量検出方法であって、
前記燃料電池の出力電圧、前記電圧変換装置の出力電圧及び前記スイッチング素子のオン時間に基づき前記燃料電池の出力電流を求め、さらに前記出力電流と前記スイッチング素子のオン時間とに基づき前記出力電流の供給により消費した電気量を求め、次に予め求めておいた前記燃料が有する電気量と消費した前記電気量に基づき燃料の残量を検出することを特徴とする燃料電池装置における燃料残量検出方法にある。
【００１２】
本態様によれば、燃料電池の出力電圧、電圧変換装置の出力電圧及びスイッチング素子のオン時間に基づき前記燃料電池の出力電流を求めるようにしたので、前記従来技術の２−１）で述べた出力電流プロファイルに基づく電流検出と同程度又はそれよりも少ない消費電力で、前記出力電流プロファイルに基づく電流検出よりもはるかに高精度に燃料電池の出力電流を検出することができる。したがって、これに基づく燃料残量の検出も燃料電池のエネルギー密度を低減させることなく高精度に行うことができる。
【００１３】
本発明の第２の態様は、
燃料電池と、スイッチング素子のオン・オフ制御により前記燃料電池を電源として負荷に印加する出力電圧を一定に制御する電圧変換装置とを有する燃料電池装置における燃料残量検出装置であって、
前記スイッチング素子のオン時間を計測するオン時間計測手段と、
前記燃料が有する電気量を記憶している記憶手段と、
前記燃料電池の出力電圧、前記電圧変換装置の出力電圧及び前記オン時間計測手段が計測するスイッチング素子のオン時間に基づき前記燃料電池の出力電流を求め、さらに前記出力電流と前記スイッチング素子のオン時間とに基づき前記出力電流の供給により消費した電気量を求め、次に前記記憶手段が記憶している電気量と消費した前記電気量に基づき燃料の残量を検出する演算手段とを有することを特徴とする燃料残量検出装置にある。
【００１４】
本態様によれば、オン時間計測手段が計測するスイッチング素子のオン時間並びに燃料電池の出力電圧及び電圧変換装置の出力電圧に基づき燃料電池の出力電流を求めるようにしたので、前記従来技術の２−１）で述べた出力電流プロファイルに基づく電流検出と同程度又はそれよりも少ない消費電力で、前記出力電流プロファイルに基づく電流検出よりもはるかに高精度に燃料電池の出力電流を検出することができる。したがって、これに基づく燃料残量の検出も燃料電池のエネルギー密度を低減させることなく高精度に行うことができる。
【００１５】
本発明の第３の態様は、
上記第２の態様に記載の燃料残量検出装置において、
前記記憶手段は、予め求めておいた前記燃料が有する電気量を初期値として記憶しており、
前記演算装置は、検出した前記燃料の残量に基づき前記記憶手段の記憶内容を逐次書き換えるように構成したことを特徴とする燃料残量検出装置にある。
【００１６】
本態様によれば、演算装置における所定の演算毎に記憶手段の記憶内容を更新して、最新の燃料残量の情報の提供に資することができる。
【００１７】
本発明の第４の態様は、
上記第２又は第３の態様の燃料残量検出装置において、
前記オン時間計測手段は、一定周期のカウントパルスを送出する発振器と、
前記スイッチング素子をオン・オフするスイッチングパルスが表す前記スイッチング素子のオン期間を前記カウントパルスによりカウントして前記オン時間を計測するカウント手段とを有することを特徴とする燃料電池装置における燃料残量検出装置にある。
【００１８】
本態様によれば、前記電圧変換装置のスイッチング素子のオン時間をカウントパルスの周期を媒介として容易且つ高精度に検出することができる。
【００１９】
本発明の第５の態様は、
上記第２乃至第４の態様の何れか一つに記載の燃料残量検出装置において、
前記オン時間計測手段は、前記スイッチング素子をオン・オフするスイッチングパルスと同期して所定の処理を行うようにしたものであることを特徴とする燃料電池装置における燃料残量検出装置にある。
【００２０】
本態様によれば、オン時間計測手段の計測結果をさらに高精度のものにすることができる。
【００２１】
本発明の第６の態様は、
上記第２乃至第５の態様の何れか一つに記載の燃料残量検出装置において、
前記記憶手段は前記燃料電池に燃料を供給する燃料供給装置に内蔵させたことを特徴とする燃料電池装置における燃料残量検出装置にある。
【００２２】
本態様によれば、燃料の残量データを燃料供給装置に持たせることができる。このため、燃料供給装置を途中で燃料電池装置から取り外した場合でも燃料の残量情報は適正に記憶・保持される。
【００２３】
本発明の第７の態様は、
上記第２乃至第６の態様の何れか一つに記載の燃料残量検出装置において、
前記燃料電池の出力電流は、前記スイッチングパルスのオン期間の立上がり時点における前記燃料電池の出力電圧、前記電圧変換装置の出力電圧及び前記スイッチング素子のオン時間に基づき求めた前記出力電流と、立下がり時点における前記燃料電池の出力電圧、前記電圧変換装置の出力電圧及び前記スイッチング素子のオン時間に基づき求めた前記出力電流とに基づき、両者の平均を採ることにより前記オン期間で平均した平均電流であることを特徴とする燃料電池装置における燃料残量検出装置にある。
【００２４】
本態様によれば、消費した電気量をより高精度に表す燃料電池の出力電流を検出することができる。ちなみに、燃料電池の出力電流はスイッチング素子のオン期間において、通常は変動する。
【００２５】
本発明の第８の態様は、
前記燃料電池と、前記電圧変換装置とを有する燃料電池装置において、
上記第２乃至第７の態様の何れか一つに記載する燃料残量検出装置を有することを特徴とする燃料電池装置にある。
【００２６】
本態様によれば、燃料電池のエネルギー密度を低下させることなく、高精度の燃料残量情報を得ることができる。
【発明の効果】
【００２７】
上記本発明によれば、燃料電池の出力電圧、電圧変換装置の出力電圧及びスイッチング素子のオン時間の実測値に基づき前記燃料電池の出力電流を求めるようにしたので、前記従来技術の２−１）で述べた出力電流プロファイルに基づく電流検出と同程度又はそれよりも少ない消費電力で前記出力電流を検出することができる。一方、燃料電池の出力電圧、電圧変換装置の出力電圧及びスイッチング素子のオン時間は、実測値であるので、従来の前記出力電流プロファイルの参照による消費燃料の算出に較べ格段に高精度の検出を行うことができる。したがって、従来技術の問題点を全て解消して所定の燃料残量の検出を高精度且つ合理的に行うことができる。
【発明を実施するための最良の形態】
【００２８】
以下本発明の実施の形態を図面に基づき詳細に説明する。
【００２９】
＜第１の実施の形態＞
図１は本発明の第１の実施の形態の係る燃料残量検出装置を有する燃料電池装置を示すブロック線図である。同図に示すように、本形態に係る燃料電池装置は、燃料供給装置１から燃料を供給されて発電する燃料電池２、この燃料電池２を電源として負荷３に印加する出力電圧を一定に制御する電圧変換装置４及びダイオードＤを介して電圧変換装置４の出力側に接続されて電気的な充放電を行う蓄電装置５からなる基本的な構成に燃料残量検出装置６を追加したものである。
【００３０】
燃料残量検出装置６は、電圧変換装置４のスイッチング動作に応じた信号に基づき燃料電池２の出力電流を演算し、その出力電流から燃料消費量を算出するとともに、この燃料消費量に基づき燃料供給装置１の燃料残量を検出するもので、発振器７ａとカウンタ７ｂとからなるオン時間計測装置７、記憶装置９、演算装置８及び燃料残量表示器１０を有している。かかる燃料残量検出装置６の詳細については、次の第１の実施例に関連させて説明する。
【００３１】
＜第１の実施例＞
図２は、図１に示す電圧変換装置４を昇圧式のスイッチングレギュレータで構成した場合の実施例に係る燃料残量装置を有する燃料電池装置を示すブロック線図である。同図に示すように、電圧変換装置４は、例えばＭＯＳＦＥＴを好適に適用し得るスイッチング素子ＳＷ１のオン期間で入力端子４ａを介して燃料電池２から供給される出力電流に基づく電気エネルギーをインダクタＣに蓄積するとともに、この電気エネルギーをスイッチング素子ＳＷ１のオフ期間で燃料電池２の出力に重畳させて出力端子４ｂから負荷３に供給するようになっている。すなわち、負荷３には入力電圧Ｖｉｎを所定割合で昇圧した出力電圧Ｖｏｕｔが印加される。
【００３２】
ここで、スイッチング素子ＳＷ１は、図３に示すように、所定のデューティ比に調整された周期ＴのスイッチングパルスＳ１でそのオン・オフが制御される。図３中、ｔｏｎ１、ｔｏｎ２、ｔｏｎ３がスイッチング素子ＳＷ１のオン時間を表している。ここで、周期ＴはＰＷＭ信号発生器２１が内蔵する発振器の周期Ｔとして与えられる固定値である。すなわち、ＰＷＭ信号発生器２１は、誤差増幅器２２が出力する誤差信号のレベルに応じてデューティ比を調整することでスイッチングパルスＳ１を形成する。前記誤差信号は、出力電圧Ｖｏｕｔを抵抗Ｒ１，Ｒ２で電圧分割して得る実測電圧と設定電圧Ｖｒｅｆとをコンパレータ２２で比較して得る両者の偏差を表す信号である。
【００３３】
かくして、当該電圧変換装置４では、出力電圧Ｖｏｕｔと設定電圧Ｖｒｅｆとの偏差に応じて、この偏差が小さくなるようにスイッチング素子ＳＷ１のオン時間ｔｏｎを制御している。なお、図２中、Ｃ１，Ｃ２は平滑用のコンデンサである。
【００３４】
オン時間計測装置７は、発振器７ａとカウンタ７ｂとからなる。ここで、発振器７ａは、一定周期のパルス信号であるカウントパルスＳ２を送出する。カウンタ７ｂは、スイッチング素子ＳＷ１をオン・オフするスイッチングパルスＳ１が表すスイッチング素子ＳＷ１のオン期間をカウントパルスＳ２に基づきカウントしてスイッチング素子ＳＷ１のオン時間ｔｏｎを計測する。
【００３５】
かかるオン時間計測装置７の機能に関し、図４を追加してさらに詳細に説明する。図４はスイッチングパルスＳ１と、このスイッチングパルスＳ１のオン時間ｔｏｎを検出するカウントパルスＳ２とを対応させて示す波形図である。同図に示すように、オン時間計測装置７はスイッチングパルスＳ１がオン状態であるカウント期間ＴＣに含まれる発振器７ａのカウントパルスＳ２の数をカウントする。このことにより、カウントパルスＳ２の周期は既知であるのでスイッチング素子ＳＷ１のオン時間ｔｏｎと等価な情報（カウント回数）を得る。ちなみに、所定の固定値である周期Ｔ（＝ｔｏｎ＋ｔｏｆｆ）は、周期Ｔを基準時間としたＰＷＭ信号発生器２１が内蔵する発振器の周波数ｆとして置き換えが可能である。すなわち、周期Ｔの間に１００回振幅させれば、１００（Hz）となる。ここで、発振器７ａの周波数は、ＰＷＭ信号発生器２１が内蔵する発振器の周波数ｆよりも大きくなければならない(周期Ｔよりも短くなければならない）。少なくとも、周波数で１０倍以上、好ましくは１００倍程度である。周波数ｆに比べ周波数が高くなるほど高精度のオン時間ｔｏｎの検出が可能になるからである。ただ、これは本質的なことではない。スイッチング素子ＳＷ１のオン時間ｔｏｎを計測することができればよいので、原理的にはカウンタでオン時間計測装置７を構成することも可能である。
【００３６】
演算装置８は燃料電池２の出力電圧Ｖｉｎ（電圧変換装置４の入力電圧でもあるのでこのように表記する）、電圧変換装置４の出力電圧Ｖｏｕｔ及びオン時間計測装置７が計測するスイッチング素子ＳＷ１のオン時間ｔｏｎに基づき燃料電池２の出力電流ＩｆＬを求める。この出力電流ＩｆＬはインダクタＣに供給されるインダクタ電流ＩＬとほぼ等しい。すなわち、出力電流ＩｆＬはインダクタ電流ＩＬと実効的に等価であるとして取扱うことができる。そこで、燃料電池２の出力電流ＩｆＬの代わりにインダクタ電流ＩＬを用いる。このインダクタ電流ＩＬは次式（１）で表すことができる。
【００３７】
【数１】
2008204669.tif 000003
【００３８】
ただし、Ｉｏｕｔは電圧変換装置４の出力電流、ｔｏｎはスイッチング素子ＳＷ１のオン時間、ｔｏｆｆはスイッチング素子ＳＷ１のオフ時間である。
【００３９】
一方、電圧変換装置４の出力電流Ｉｏｕｔは次式（２）で表すことができる。
【００４０】
【数２】
2008204669.tif 000004
【００４１】
ただし、Ｖｉｎは燃料電池２の出力電圧(電圧変換装置４の入力電圧)、Ｖｏｕｔは電圧変換装置４の出力電圧、ｆはスイッチングパルスＳ１の周波数、ＬはインダクタＣのインダクタンスである。
【００４２】
式（２）中、インダクタンスＬ及び周波数ｆは既知である。したがって、出力電圧Ｖｉｎ、出力電圧Ｖｏｕｔ及びオン時間ｔｏｎを実測すれば出力電流Ｉｏｕｔを求めることができ、この出力電流Ｉｏｕｔが求まれば式（１）中の（ｔｏｎ＋ｔｏｆｆ）はスイッチングパルスＳ１の周期Ｔとして既知であるので、出力電圧Ｖｉｎ、出力電圧Ｖｏｕｔ及びオン時間ｔｏｎを実測することにより燃料の消費量と比例関係にあるインダクタ電流ＩＬを検出することができる。ここで、出力電圧Ｖｉｎ、出力電圧Ｖｏｕｔ及びオン時間ｔｏｎは電流を消費することなく実測可能であるため、電流を消費することなくインダクタ電流ＩＬを検出することができる。
【００４３】
なお、式（１）は理論式であるので、インダクタ電流ＩＬの実測のデータに基づき予め補正テーブルを作成しておき、この補正テーブルによりインダクタ電流ＩＬを補正してやればより高精度の検出が可能となる。
【００４４】
図５は、本実施例に係る燃料電池装置におけるスイッチングパルスＳ１とインダクタ電流ＩＬとを対応させて示す波形図である。同図に示すように、インダクタ電流ＩＬは負荷３の変動により、通常スイッチングパルスＳ１のオン期間で変動する。そこで、本実施例ではスイッチングパルスＳ１のオン期間の立上がり時点における出力電圧Ｖｉｎ、Ｖｏｕｔと、立下がり時点における出力電圧Ｖｉｎ、Ｖｏｕｔとを検出している。
【００４５】
したがって、演算装置８では、オン期間の立上がり時点と立下がり時点における出力電圧Ｖｉｎ、Ｖｏｕｔと当該周期Ｔ内におけるオン時間ｔｏｎに基づきインダクタ電流ＩＬを検出している。このようにして検出されるインダクタ電流ＩＬは当該オン期間の平均電流となる。したがって、この場合、より正確な燃料残量の演算に資することができる。
【００４６】
記憶装置９は、予め求めておいた燃料供給装置１の燃料が有する電気量を初期値として記憶している。
【００４７】
ここで、燃料電池２の燃料として水素を用いた場合、燃料電池２の発電時の反応によって水素１モルから得られる電子は、
Ｈ２→２Ｈ＋＋２ｅ−
より、２モルである。電子２モルの電気量は、ファラデー定数Ｆにモル数ｎを乗ずることによって得られる。ここでの電気量（水素１モルの電気量）は、ｎ＝２であるので、
電気量Ｑ［Ｃ］＝Ｆ×ｎ＝9.6485×104［Ｃ／mol］×2[mol]＝19.297104［Ｃ］（水素１モルあたりの電気量）となる。
【００４８】
したがって、燃料供給装置１が有する燃料が有する水素のモル数ｎH2を求め、前式の右辺に水素のモル数を乗じることによって、燃料が有する電気量Ｑfuelを求めることができる。
【００４９】
すなわち、電気量Ｑfuel［Ｃ］＝Ｆ×ｎ×ｎH2となる。
【００５０】
かかる理論値である電気量Ｑfuel［Ｃ］を表す情報を記憶装置９に初期値として記憶させておく。
【００５１】
ここで、燃料の消費量とインダクタ電流ＩＬとの関係を示す。電流値Ｉ[Ａ]とその電流が流れた時間ｔ[ｓ]との積は、電気量Ｑ［Ｃ］（＝[Ａ・ｓ]）である。したがって、燃料電池２から出力された電気量Ｑfcは、インダクタ電流ＩLとこれを出力している時間ｔとの積から求められる。
【００５２】
式（１）及び式（２）から得られたインダクタ電流ＩLは、便宜的にオン時間ｔｏｎ、周期Ｔ（ｔｏｎ+ｔｏｆｆ）及び周波数ｆを、発振器７ａの周波数を基準とした値に変換して演算装置８で演算を行っているので、電気量Ｑfcを算出するには、ｔ[ｓ]も発振器７ａの周波数を基準とした値ｔf（ｔｏｎのカウント数）に変換して計算しなければならない。
【００５３】
すなわち、Ｑfc＝IL×tfとなる。
【００５４】
ただ、これは理論値であるので、実際の消費電気量Ｑfc’は、計算によって得られた電気量Ｑfcに適切な係数αを乗じて変換するのが望ましい。
【００５５】
すなわち、Ｑfc’＝Ｑfc×αとなる。
【００５６】
したがって、燃料供給装置１に貯留されている燃料の初期の電気量Ｑfuelから消費電気量Ｑfc’を減ずることによって、残量燃料の電気量Ｑrも求めることが可能である。Ｑr＝Ｑfuel−Ｑfc’の関係が成立しているからである。
【００５７】
かかる一連の演算は演算装置８で行う。ここで、残量燃料は、記憶装置９から供給される演算前の燃料の残量（初期状態では初期値）を表す残量信号Ｓ４に基づきＱr＝Ｑfuel−Ｑfc’の演算を行うことにより求める。所定の演算の結果求めた残量信号Ｓ５が表す残量は新たに記憶装置９に記憶される。ここで、記憶装置９は、燃料の残量を燃料から取り出しうる電気量に換算してその値を記憶している。
【００５８】
燃料残量表示器１０は記憶装置９から送出される燃料の残量を表す残量信号Ｓ５に基づき燃料供給装置１の燃料残量を可視化して表示する。
【００５９】
＜第２の実施例＞
図６は、図１に示す電圧変換装置４を降圧式のスイッチングレギュレータで構成した場合の実施例に係る燃料残量検出装置を有する燃料電池装置を示すブロック線図である。同図に示すように、本実施例に係る電圧変換装置４では、入力端子４ａを介して供給される燃料電池２の出力電流をスイッチング素子ＳＷ２をオン・オフさせることで、矩形波を形成し、インダクタＣとコンデンサＣ２からなるＬＣフィルタで平滑化して出力する。このとき、スイッチング素子ＳＷ２のオン・オフを制御するＰＷＭ制御系は、図２に示す昇圧式のものと変るところはない。したがって、図６中、図２と同一部分には同一番号を付し、重複する説明は省略する。
【００６０】
かかる降圧式のスイッチングレギュレータでは、その入力電圧Ｖｉｎと出力電圧Ｖｏｕｔとの間に、Ｖｏｕｔ＝Ｖｉｎ×ｔｏｎ／（ｔｏｎ＋ｔｏｆｆ）の関係がある。すなわち、デューティ比の分だけ入力電圧Ｖｉｎが降圧される。
【００６１】
また、式（１）に対応する式は、次式（３）として与えられる。
【００６２】
【数３】
2008204669.tif 000005
【００６３】
すなわち、この場合も図２に示す昇圧式の場合と同様に、出力電圧Ｖｉｎ、出力電圧Ｖｏｕｔ及びオン時間ｔｏｎを実測することにより燃料の消費量と比例関係にあるインダクタ電流ＩＬを検出することができる。
【００６４】
この結果、燃料残量検出装置６で昇圧式と同様の演算を行うことにより所望の燃料残量を検出することができる。
【００６５】
＜第２の実施の形態＞
図７は、本発明の第２の実施の形態の係る燃料残量検出装置を有する燃料電池装置を示すブロック線図である。同図に示すように、本形態におけるオン時間計測装置７の発振器７ａは、前記スイッチング素子をオン・オフするスイッチングパルスと同期して所定の処理を行うようにしてある。電圧変換装置４が、例えば図２乃至図６に示すスイッチングレギュレータの場合は、ＰＷＭ信号発生器２１が内蔵している発振器（図示せず）と発振器７ａの同期をとるように構成してある。その他の構成に関しては、図１に示す第１の実施の形態と同様であるので、同一部分には同一番号を付し、重複する説明は省略する。
【００６６】
本形態によれば、オン時間計測装置７による計測結果をさらに高精度のものにすることができる。
【００６７】
＜第３の実施の形態＞
図８は、本発明の第３の実施の形態の係る燃料残量検出装置を有する燃料電池装置を示すブロック線図である。同図に示すように、本形態における記憶装置９は燃料電池２に燃料を供給する燃料供給装置１に内蔵させてある。その他の構成に関しては、図１に示す第１の実施の形態と同様であるので、同一部分には同一番号を付し、重複する説明は省略する。
【００６８】
本形態によれば、燃料の残量データを燃料供給装置１に持たせることができる。このため、燃料供給装置１を途中で当該燃料電池装置から取り外した場合でも燃料の残量情報は適正に記憶・保持される。すなわち、燃料供給装置１内の実際の燃料残量と、その残量情報とを一対一に対応づけて管理することができる。
【産業上の利用可能性】
【００６９】
本発明は燃料電池装置を製造・販売する産業分野で有効に利用することができる。
【図面の簡単な説明】
【００７０】
【図１】本発明の第１の実施の形態の係る燃料残量検出装置を有する燃料電池装置を示すブロック線図である。
【図２】図１の電圧変換装置を昇圧式のスイッチングレギュレータで構成した場合の第１の実施例に係る燃料残量検出装置を有する燃料電池装置を示すブロック線図である。
【図３】図２に示す燃料電池装置におけるスイッチング信号の形状を示す波形図である。
【図４】図２に示す燃料電池装置におけるスイッチング信号とこのスイッチング信号のオン時間を検出するカウントパルスとを対応させて示す波形図である。
【図５】図２に示す燃料電池装置におけるスイッチング信号とインダクタ電流（燃料電池の出力電流と等価）とを対応させて示す波形図である。
【図６】図１の電圧変換装置を降圧式のスイッチングレギュレータで構成した場合の第２の実施例に係る燃料残量検出装置を有する燃料電池装置を示すブロック線図である。
【図７】本発明の第２の実施の形態の係る燃料残量検出装置を有する燃料電池装置を示すブロック線図である。
【図８】本発明の第３の実施の形態の係る燃料残量検出装置を有する燃料電池装置を示すブロック線図である。
【図９】燃料電池の出力電圧の出力電流依存性に関する出力プロファイルを示す特性図である。
【符号の説明】
【００７１】
１            燃料供給装置
２            燃料電池
３            負荷
４            電圧変換装置
６            燃料残量検出装置
７            オン時間計測装置
７ａ          発振器
７ｂ          カウンタ
８            演算装置
９            記憶装置
１０          燃料残量表示器
Ｃ            インダクタ
ＩＬ          インダクタ電流
Ｉｏｕｔ      出力電流
Ｓ１          スイッチングパルス
Ｓ２          カウントパルス
Ｓ４          残量信号
Ｓ５          残量信号
ＳＷ１        スイッチング素子
ＳＷ２        スイッチング素子
ｔｏｎ        オン時間
Ｖｉｎ        出力電圧
Ｖｏｕｔ      出力電圧
Ｖｒｅｆ      設定電圧
【図１】
2008204669.tif 000006
【図２】
2008204669.tif 000007
【図３】
2008204669.tif 000008
【図４】
2008204669.tif 000009
【図５】
2008204669.tif 000010
【図６】
2008204669.tif 000011
【図７】
2008204669.tif 000012
【図８】
2008204669.tif 000013
【図９】
2008204669.tif 000014